(57)【特許請求の範囲】
【請求項１】
座部（２）と、該座部（２）の前下方に配設された前垂れ状取付板（１６）と、該前垂れ状取付板（１６）に取着されたステップ板（１７）と、後方へ傾動可能な背もたれ部（３）とを、備え、該背もたれ部（３）を起立させて上記座部（２）に被施術者（４５）を座らせる腰掛使用状態と、上記背もたれ部（３）を後方へ傾動させて上記被施術者（４５）を仰臥姿勢とし頭部（４６）を後方の洗髪用流し台（５０）に乗せるバックシャンプー使用状態とに、切換可能とした理美容椅子に於て、
上記座部（２）及び上記背もたれ部（３）が取着された昇降台枠（１）を昇降させるための主昇降シリンダ（１０）と、該昇降台枠（１）に対して上記座部（２）を昇降させるための副昇降シリンダ（２０）と、バックシャンプー使用状態下で上記仰臥姿勢となる上記被施術者（４５）の脚部（４７）を下方から支持するためのフットレスト（４）と、を備え、
上記フットレスト（４）を、上記座部（２）の前端縁（２Ａ）に上下揺動自在に取着し、かつ、フットレスト揺動用シリンダ（２５）の一端部を、上記フットレスト（４）に取着すると共に、上記フットレスト揺動用シリンダ（２５）の他端部を、上記座部（２）に取着し、上記フットレスト（４）を、上記前垂れ状取付板（１６）に接近した垂下状姿勢から上方揺動させて上記仰臥姿勢の上記脚部（４７）をほぼ水平に支持するように構成し、
さらに、上記仰臥姿勢の上記脚部（４７）を支持したほぼ水平の上記フットレスト（４）と上記フットレスト揺動用シリンダ（２５）と上記座部（２）とが、上記昇降台枠（１）及び後方へ傾動した姿勢の上記背もたれ部（３）に対して、上記副昇降シリンダ（２０）によって昇降するように構成したことを特徴とする理美容椅子。
【発明の詳細な説明】
【技術分野】
【０００１】
本発明は、理美容椅子に関する。
【背景技術】
【０００２】
従来、美容院等で利用客の洗髪を行う際に、背もたれ部を後方へ傾動させて、洗髪される人を仰向け姿勢とし、頭部を後方の洗髪用流し台に乗せる、いわゆるバックシャンプー状態に切換える理美容椅子があった（特許文献１参照）。
【先行技術文献】
【特許文献】
【０００３】
【特許文献１】特開２０１０−４９１１号公報
【発明の概要】
【発明が解決しようとする課題】
【０００４】
しかし、従来の理美容椅子は、洗髪される人の体型によっては、背もたれ部を後方へ傾動させただけでは、頭部を洗髪用流し台に乗せることができなかった。例えば、身長の低い女性客や子供は、座高が低いので、座った姿勢から仰向け姿勢となっても頭部が洗髪用流し台に届かず、自ら後方へ移動して頭部の位置を調整しなければならなかった。
【０００５】
そこで、図４に示すように、背もたれ部４３に対し座部４２を上昇させ、洗髪される人４５が頭部４６の位置を調整し易くするということが行われている。
しかし、座部４２だけが上昇することで、脚部４７を支持するフットレスト４４と座部４２の間に段差Ｇが生じ、洗髪される人４５が仰け反って苦しい姿勢になるという欠点があった。
【０００６】
そこで、本発明は、バックシャンプー使用状態で、洗髪される人が楽な姿勢で頭部を洗髪用流し台に乗せることのできる理美容椅子を提供することを目的とする。
【課題を解決するための手段】
【０００７】
本発明に係る理美容椅子は、座部と、該座部の前下方に配設された前垂れ状取付板と、該前垂れ状取付板に取着されたステップ板と、後方へ傾動可能な背もたれ部とを、備え、該背もたれ部を起立させて上記座部に被施術者を座らせる腰掛使用状態と、上記背もたれ部を後方へ傾動させて上記被施術者を仰臥姿勢とし頭部を後方の洗髪用流し台に乗せるバックシャンプー使用状態とに、切換可能とした理美容椅子に於て、上記座部及び上記背もたれ部が取着された昇降台枠を昇降させるための主昇降シリンダと、該昇降台枠に対して上記座部を昇降させるための副昇降シリンダと、バックシャンプー使用状態下で上記仰臥姿勢となる上記被施術者の脚部を下方から支持するためのフットレストと、を備え、上記フットレストを、上記座部の前端縁に上下揺動自在に取着し、かつ、フットレスト揺動用シリンダの一端部を、上記フットレストに取着すると共に、上記フットレスト揺動用シリンダの他端部を、上記座部に取着し、上記フットレストを、上記前垂れ状取付板に接近した垂下状姿勢から上方揺動させて上記仰臥姿勢の上記脚部をほぼ水平に支持するように構成し、さらに、上記仰臥姿勢の上記脚部を支持したほぼ水平の上記フットレストと上記フットレスト揺動用シリンダと上記座部とが、上記昇降台枠及び後方へ傾動した姿勢の上記背もたれ部に対して、上記副昇降シリンダによって昇降するように構成したものである。
【発明の効果】
【０００８】
本発明の理美容椅子によれば、洗髪される人（被施術者）が仰け反ることなく、楽な仰向け姿勢で頭部を洗髪用流し台に乗せることができる。座部を上昇させてもフットレストとの間に段差を生じることなく、被施術者が腰を反らせて苦しい姿勢とならないように安定して支持し、バックシャンプー状態で快適に洗髪できる。
【図面の簡単な説明】
【０００９】
【図１】本発明の理美容椅子の腰掛使用状態を示した側面図である。
【図２】本発明の理美容椅子のバックシャンプー使用状態を示した側面図である。
【図３】バックシャンプー使用状態に於て座部及びフットレストが上昇する本発明の理美容椅子の側面図である。
【図４】バックシャンプー使用状態に於て座部のみが上昇する従来の理美容椅子の側面図である。
【発明を実施するための形態】
【００１０】
以下、実施の形態を示す図面に基づき本発明を詳説する。
図１と図２に示すように、本発明の理美容椅子は、美容院等で利用客（被施術者）４５を座部２に座らせる腰掛使用状態と、背もたれ部３を後方へ傾動させて利用客（被施術者）４５を仰臥姿勢とし頭部４６を後方の洗髪用流し台５０に乗せるバックシャンプー使用状態とに、切換可能とした理美容椅子であって、座部２及び背もたれ部３が取着される昇降台枠１と、昇降台枠１を昇降させる主昇降シリンダ１０とを、備えている。
【００１１】
昇降台枠１は、下面に主昇降シリンダ１０のロッドの先端が取着され、かつ、座部２を昇降させる副昇降シリンダ２０を付設している。主昇降シリンダ１０は、床に設置された土台１５に鉛直状に支持されている。主昇降シリンダ１０は、昇降台枠１と共に座部２及び背もたれ部３を昇降させる。
座部２は、クッション性を有するシート部材２１と、シート部材２１の下面に配設される座板部材２２とを、有し、座板部材２２の下面に、副昇降シリンダ２０のロッドの先端が取着されている。副昇降シリンダ２０は、（昇降台枠１に対し）座部２を独立して昇降させる。即ち、背もたれ部３の高さ位置を保ちつつ、副昇降シリンダ２０によって座部２の高さ位置のみ調節可能としている。この構成により、図１の腰掛使用状態に於て、座高の低い子供や、ロングヘアーで身長が低い女性客が座部２に腰掛ける状況でも、座部２の高さ位置を適宜変更して、散髪や染毛等の施術を行い易いように調節できる。なお、副昇降シリンダ２０には、座部２を常時下方へ弾発付勢する引張バネ２３が付設されている。
【００１２】
昇降台枠１の後端縁には、（Ｌ字状）取付部材３１を介して背もたれ部３が揺動自在に枢着されている。背もたれ部３は、クッション性を有するバックレスト部材３２と、バックレスト部材３２の後面に配設され主要操作スイッチＳの全てが設けられた背板部材３３とを、有している。なお、図示省略の背もたれ部揺動用シリンダによって、背もたれ部３を後方へ傾動させるのが好ましい。あるいは、昇降台枠１の昇降に伴って、背もたれ部３を後方へ傾動させるリンク機構を設けても良い。
昇降台枠１の前端縁には、前垂れ状取付板１６が固着されており、取付板１６の下端に前方突出状のステップ板１７が取着されている。なお、図示省略するが、前垂れ状取付板１６及びステップ板１７は、座部２（座板部材２２）の前端縁２Ａに固着するも好ましく、副昇降シリンダ２０による座部２の昇降に伴って取付板１６及びステップ板１７が昇降しても良い。
【００１３】
座部２の前端縁２Ａには、上下方向に揺動自在のフットレスト４が取着されている。
フットレスト４は、図１に示す腰掛使用状態では、前垂れ状取付板１６に沿って略垂下状態にて保持され、被施術者４５は、脚部４７をステップ板１７に乗せて座る。図１から図２に示すバックシャンプー使用状態に切換える際、座板部材２２に設けられたフットレスト揺動用シリンダ２５によってフットレスト４が下方から上方へ揺動し、フットレスト４が仰臥姿勢の被施術者４５の脚部４７を支持する。なお、フットレスト揺動用シリンダ２５には、フットレスト４を下方へ揺動させる方向に常時弾発付勢する引張バネ２６が付設されている。フットレスト揺動用シリンダ２５は、背もたれ部３の後方への傾動に連動して、フットレスト４を上方へ揺動させるように、電気的に制御するのが好ましい。
【００１４】
図３に示すように、フットレスト４は、副昇降シリンダ２０による座部２の昇降に伴って、座部２と一緒に昇降するように構成されている。
図３に於て、座部２及びフットレスト４を上昇させることで、被施術者４５は、頭部４６を後方の洗髪用流し台５０に乗せ易くなる。しかも、被施術者４５は、ほぼ水平仰臥姿勢となって、脚部４７だけが下がることなく、楽な姿勢で仰向けに寝ることができる。即ち、座部２及びフットレスト４は一緒に昇降して、段差を創ることなく、被施術者４５の腰部から脚部４７を安定して支持する。こうして、被施術者４５の腰が反らず、仰け反る姿勢になるのを防止する。被施術者４５は、安定した楽な姿勢で頭部４６を洗髪用流し台５０に乗せることができる。
【００１５】
なお、本発明は、設計変更可能であって、例えば、副昇降シリンダ２０は、復動式油圧シリンダとしても良く、この場合、引張バネ２３を省略しても良い。
【００１６】
以上のように、本発明に係る理美容椅子は、座部２と、後方へ傾動可能な背もたれ部３とを、備え、背もたれ部３を起立させて座部２に被施術者４５を座らせる腰掛使用状態と、背もたれ部３を後方へ傾動させて被施術者４５を仰臥姿勢とし頭部４６を後方の洗髪用流し台５０に乗せるバックシャンプー使用状態とに、切換可能とした理美容椅子に於て、座部２及び背もたれ部３は、主昇降シリンダ１０によって昇降する昇降台枠１に取着され、かつ、昇降台枠１には、座部２を昇降させる副昇降シリンダ２０を設け、バックシャンプー使用状態下で、仰臥姿勢となる被施術者４５の脚部４７を下方から支持するフットレスト４を、座部２の前端縁２Ａに取着し、副昇降シリンダ２０による座部２の昇降に伴ってフットレスト４が昇降するように構成したので、被施術者４５が仰け反ることなく、楽な仰向け姿勢で頭部４６を洗髪用流し台５０に乗せることができる。座部２を上昇させてもフットレスト４との間に段差を生じることなく、被施術者４５が腰部を反らせて苦しい姿勢とならないように安定して支持し、バックシャンプー状態で快適に洗髪できる。
【符号の説明】
【００１７】
１  昇降台枠
２  座部
２Ａ  前端縁部
３  背もたれ部
４  フットレスト
１０  主昇降シリンダ
１６ 前垂れ状取付板
１７ ステップ板
２０  副昇降シリンダ
２５ フットレスト揺動用シリンダ
４５  被施術者
４６  頭部
４７  脚部
５０  洗髪用流し台
【図１】
0006377439.tif 000002
【図２】
0006377439.tif 000003
【図３】
0006377439.tif 000004
【図４】
0006377439.tif 000005